(57)【特許請求の範囲】
【請求項１】
前面を開口した筐体と、前面開口部を被覆する扉部からなる電気機器収納用箱であって、
該扉部は、該前面開口部を被覆する前面カバー部と側面部からなるとともに、該側面部の一部を該筐体の外周方向に向けて一体形成した凸状部にシリンダ錠を埋設して備え、
該筐体は、該前面開口部の外周に、該シリンダ錠の係止部を備え、
かつ前記凸状部は、扉部を閉じた状態において、シリンダ錠の係止部を見えないように覆う構造であることを特徴とする電気機器収納用箱。
【請求項２】
該側面部と一体形成した該凸状部が、該扉部を開閉操作する取手部であることを特徴とする請求項１記載の電気機器収納用箱。
【請求項３】
該シリンダ錠の係止部を、該筐体の該前面開口部より外側に一体形成したことを特徴とする請求項１または２記載の電気機器収納用箱。
【請求項４】
該シリンダ錠は、該扉部の前面側から取外自在な着脱機構を備えることを特徴とする請求項１〜３の何れかに記載の電気機器収納用箱。
【発明の詳細な説明】
【技術分野】
【０００１】
本発明は、扉用鎖錠装置を備えた電気機器収納用箱に関するものである。
【背景技術】
【０００２】
配電盤や分電盤などの電気機器収納用箱の扉には、鎖状装置としてシリンダ錠を取り付ける構造が多く採用されている(例えば、特許文献１)。該鎖状装置では、シリンダ錠に鍵を差し込んで回転させることにより、内筒の先端に設けた鎖状片を箱本体側に設けた受金具と係合・離脱して、施錠・解錠操作を行うものである。
【０００３】
特許文献１では、扉の前面部に鍵の差し込み口を設ける構造を採用しており、シリンダ錠は、扉に形成した凹状ハウジングの内部に埋設されている。
【０００４】
しかし、前記構造の場合、扉と箱本体とで囲まれた電気機器収納スペース内に、シリンダ錠・鎖状片・受金具等を配置する必要があり、電気機器収納スペースが圧迫される問題や、特に、箱本体に設けた受金具が、内部機器の取付・配線作業の邪魔になる問題があった。
【０００５】
また、電気機器収納用箱が屋外に設置された場合、扉の前面部に設けた鍵の差し込み口を伝って、雨水が電気機器収納スペース内に侵入する可能性も否定できないため、シリンダ錠・鎖状片・受金具等の基本部品に、更に、パッキン等の防水部材が必要となり、部品点数がかさみ、組立作業も煩雑になるという問題もあった。
【先行技術文献】
【特許文献】
【０００６】
【特許文献１】特開２００８-１９０１３２号公報
【発明の概要】
【発明が解決しようとする課題】
【０００７】
本発明の目的は前記の問題を解決し、扉用鎖状装置としてシリンダ錠を取り付けた電気機器収納用箱において、該鎖状装置の構成部材によって電気機器収納スペースが圧迫されることなく、少ない部品点数で扉の鎖状機能を奏することができ、かつ、雨水が鍵の差し込み口に侵入した場合であっても、雨水が電気機器収納スペース内には侵入することのない電気機器収納用箱の構造に関する技術を提供することである。
【課題を解決するための手段】
【０００８】
上記課題を解決するためになされた本発明の電気機器収納用箱は、前面を開口した筐体と、前面開口部を被覆する扉部からなる電気機器収納用箱であって、該扉部は、該前面開口部を被覆する前面カバー部と側面部からなるとともに、該側面部の一部を該筐体の外周方向に向けて一体形成した凸状部にシリンダ錠を埋設して備え、該筐体は、該前面開口部の外周に、該シリンダ錠の係止部を備え、かつ前記凸状部は、扉部を閉じた状態において、シリンダ錠の係止部を見えないように覆う構造であることを特徴とするものである。
【０００９】
請求項２記載の発明は、請求項１記載の電気機器収納用箱において、該側面部と一体形成した凸状部が、該扉部を開閉操作する取手部であることを特徴とするものである。
【００１０】
請求項３記載の発明は、請求項１または２記載の電気機器収納用箱において、該シリンダ錠の係止部を、該筐体の該前面開口部より外側に一体形成したことを特徴とするものである。
【００１１】
請求項４記載の発明は、請求項１〜３の何れかに記載の電気機器収納用箱において、該シリンダ錠は、該扉部の前面側から取外自在な着脱機構を備えることを特徴とするものである。
【発明の効果】
【００１２】
本発明に係る電気機器収納用箱は、前面を開口した該筐体と、該開口部を被覆する該扉部からなる電気機器収納用箱において、該扉部は、該開口部を被覆する前面カバー部と側面部からなるとともに、該側面部の一部を該筐体の外周方向に向けて一体形成した凸状部に該シリンダ錠を埋設して備える構成とし、該筐体は、該前面開口部の外周に、該シリンダ錠の係止部を備える構成とすることにより、扉用鎖状装置の構成部材を、該筐体内部の電気機器収納スペースではなく、該筐体の開口部の外側に配置することができるため、該鎖状装置の構成部材によって筐体内部の電気機器収納スペースが圧迫されていた従来の問題を回避することができる。また、雨水が鍵の差し込み口に侵入した場合であっても、雨水が該筐体内部の電気機器収納スペースに侵入することがないため、特別の防水部材は不要であり、部品点数の削減や組み立て作業の簡略化を図ることができる。
【００１３】
請求項２記載の発明によれば、取手部を、該シリンダ錠を埋設する凸状部として利用するため、取手部と該シリンダ錠埋設部とを別に設ける場合に比べて、部品点数を削減でき、景観にも優れた構造とすることができる。
【００１４】
請求項３記載の発明によれば、該シリンダ錠の係止部が該筐体の該前面開口部より外側に一体形成されるため、鎖状装置の基本部品（シリンダ錠・鎖状片・受金具）のうち、受金具が不要となり、更なる部品点数の削減を図ることができる。また、開口部より外側に形成されるため、筐体内に電気機器を設置する際に障害とならない。
【００１５】
請求項４記載の発明によれば、該シリンダ錠が該扉部の前面側から取外自在になるため、鎖錠装置の組み立て作業の作業性を向上することができる。
【図面の簡単な説明】
【００１６】
【図１】本実施形態の電気機器収納用箱の全体斜視図である。
【図２】図１の扉部を開放した状態図である。
【図３】扉部の全体斜視図である。
【図４】シリンダ錠の説明図である。
【図５】係止状態における要部断面図である。
【図６】扉部の背面図である。
【図７】受け部の拡大図である。
【図８】図７を背面側から見た図である。
【図９】要部断面図である。（ａ）：非係止状態、（ｂ）：係止状態
【図１０】（ａ）シリンダ錠を扉部に固定させる直前の全体斜視図である。（ｂ）（ａ）図の異なる角度から見た全体斜視図である。
【図１１】第２の実施形態におけるシリンダ錠の説明図である。
【図１２】図１１を異なる角度から見た図である。
【図１３】第２の実施形態におけるシリンダ錠の挿入途中の説明図である。
【図１４】シリンダ錠を挿入し第１突起が受け部に当接した状態の図である。
【図１５】シリンダ錠を４５°回転させた状態の図である。
【図１６】図１５の背面側から見た図である。
【図１７】シリンダ錠を押し込んだうえさらに回転させた状態の図である。
【図１８】図１７の背面側から見た図である。
【図１９】シリンダ錠を差し込んだ状態で係止片を下向き（取外可能位置）に移動させたときの状態を示す図である。
【発明を実施するための形態】
【００１７】
以下に本発明の好ましい実施形態を示す。
図１、図２に示すように、本実施形態の電気機器収納用箱は、前面を開口した筐体１と扉部２から構成されている。筐体１内部は電気機器収納スペースとして使用される。
【００１８】
扉部２は、筐体１の前面開口部３を被覆する前面カバー部４と、前面カバー部４の外周を筐体１方向に向けて略垂直に折り曲げ形成した側面部５を有している。
【００１９】
図３に示すように、側面部５の左右何れか一方には蝶番６を備え、他方には側面部５から更に外周方向に向けて突出させた凸状部７が一体形成されている。
【００２０】
凸状部７は、扉部２を開閉操作する取手部としての機能を有するとともに、シリンダ錠の取付け部９と南京錠の取付け部１０としての機能を有する。このように、取手部を、シリンダ錠の取付け部９と南京錠の取付け部１０として兼用することにより、取手部とシリンダ錠の取付け部９および南京錠の取付け部１０とを別に設ける場合に比べて、部品点数を削減でき、電気機器収納用箱の外観もすっきりとさせることができる。
【００２１】
凸状部７にシリンダ錠の取付け部９を設けることにより、扉部２を閉じた状態において、シリンダ錠８が、電気機器収納スペースの外側に配置されることとなる。したがって、シリンダ錠８が電気機器収納スペースを圧迫することがないため、電気機器収納スペースを有効に利用することができる。また、雨水が鍵の差し込み口に侵入した場合であっても、雨水が電気機器収納スペースに侵入することがないため、特別の防水部材は不要であり、部品点数の削減や組み立て作業の簡略化を図ることができる。
【００２２】
シリンダ錠８は、図４に示すように、鍵挿入部１１を有する皿部１２、タンブラを収納するタンブラ部１３、筐体１に形成したシリンダ錠の係止部２１に係止可能な係止片１４から構成されている。本実施形態では、皿部１２、タンブラ部１３、係止片１４は全て合成樹脂にて一体化形成されてコンパクトな設計となっているため、シリンダ錠８の収納スペースを削減することができる。なお、シリンダ錠８を皿部１２正面から見たとき係止片１４が皿部１２により見えないように形成されている。
【００２３】
図５及び図１０に示すように、シリンダ錠の取付け部９は、シリンダ錠８のタンブラ部１３、係止片１４が通過可能とする孔部１５を形成している。前記のように、シリンダ錠８の、皿部１２、タンブラ部１３、係止片１４は全て合成樹脂にて一体化形成されているので、扉部２前面から挿入することができ、扉部２の裏面から別途係止片を取り付けるなどの作業をする必要がない。また、シリンダ錠８の皿部１２は孔部１５を通過できないようになっているので、シリンダ錠８が扉部１の裏側に落下する恐れがない。また、シリンダ錠８は、扉部２の前面側から自在に取外できるため、鎖状装置の組み立て作業の作業性を向上することができる。
【００２４】
その他、図６に示すように、本実施形態では、扉部２を筐体１に係止させておくことができる引掛部１６が形成されている。また、凸状部７の外周面と引掛部１６との間には、作業者の手を入れる空間部１７が形成されている。
【００２５】
筐体１は、図２に示すように、背面板１８と、背面板１８を前面開口部３方向に向けて略垂直に折り曲げ形成した側面板１９から形成され、前面開口部３の外周に水切り部２０を備えている。
【００２６】
側面板１９の左右何れか一方には蝶番（図示しない）を備え、図３に示した扉部２の蝶番６との組み合わせにより、扉部２を筐体１に対し回動可能に支持している。
【００２７】
左右の側面板１９のうち、他方には、図２、図７に示すように、シリンダ錠の係止部２１・引掛部の係止部２２・南京錠の係止部２３からなる受け部２４が、側面板１９から更に外周方向に向けて突出形成されている。シリンダ錠の係止部２１を、筐体１の側面板１９と一体形成することにより、シリンダ錠の受け金具の別部品が不要となり、部品点数の削減を図ることができる。
【００２８】
シリンダ錠の係止部２１・引掛部の係止部２２・南京錠の係止部２３からなる受け部２４を、側面板１９と一体に突出形成することにより、筐体１内部は専ら電気機器収納スペースとして有効に活用することができる。
【００２９】
なお、本実施形態では受け部２４を側面板１９と一体に突出形成しているが、その他、受け部２４を水切り部２０の一部として形成してもよい。
【００３０】
シリンダ錠８の係止片１４を受けるシリンダ錠の係止部２１は、図７、図８に示すように、受け部２４の上部側に形成されている。シリンダ錠８の施錠操作は、扉部２を筐体１に係止させた後、図９（ａ）の状態で鍵挿入部１１に鍵を差し込んで、係止片１４を図９（ｂ）の状態にまで回転させて行う。図９（ｂ）の状態、すなわち、施錠時には、シリンダ錠８の係止片１４がシリンダ錠の係止部２１の前面壁部２５に係止されている。その他、シリンダ錠８の係止片１４の先端部には、図４に示すように、突起部２６が形成され、シリンダ錠の係止部２１の前面壁部２５には、図８に示すように、該突起部２６を係止する突起部係止用凹部２７が形成されている。
【００３１】
上記したシリンダ錠８を電気機器収納用箱に組付ける第１の実施形態を以下に示す。図１０に示すように、扉２を開放させた状態で、扉２の前面よりシリンダ錠８を孔部１５に挿入する。このときシリンダ錠８の鍵挿入部１１と係止片１４は、鎖錠位置（下向き）に向けておく。このシリンダ錠８の係止片１４の位置が下向きの状態においてシリンダ錠１０は孔部１５から取外しや取付けが可能となるものである。次に、係止片１４が孔部１５に挿入させた状態でシリンダ錠８を開錠位置（横向き）に回転させると、図３のように係止片１４がシリンダ錠の取付部９に係合し、扉２から抜けない状態となる。そして、シリンダ錠８を扉２に係合させた状態で、扉２を閉じると、シリンダ錠８及び係止片１４は箱本体１のシリンダ錠の係止部２１に前方から図９（ａ）のように嵌まり込む。ただし、係止片１４が鎖錠位置（下向き）にあると、前面壁部２５に当接するのでシリンダ錠の係止部２１に入らない。その後、シリンダ錠８を鎖錠位置に回転させると、図９（ｂ）のように鎖錠状態となり、扉２を開くことができなくなる。なお、シリンダ錠８の取外を行う場合は逆の順序で行う。このように扉２の前面側より取付取外自在な着脱機構を形成することにより鎖錠装置の組み立て作業を容易にすることが可能となるものである。
【００３２】
次にシリンダ錠８を電気機器収納用箱に組付ける第２の実施形態を説明する。図１１、図１２に示すように、シリンダ錠８はタンブラ部１３に突部を形成してある。突部は比較的短い第１突部２８と、比較的長い第２突部２９とを備えたものである。これらは周方向にやや位置をずらせて形成されている。扉２のシリンダ錠を収納する孔部１５の形状はシリンダ錠８の外形状に対応させてあり、図１０と同様に係止片１４を下向きにしてシリンダ錠８を挿入する。このとき、図１３に示すように比較的長い第２突部２９は受け部５０側方に形成したガイド溝３０に入りガイドとして機能する。
【００３３】
ガイド溝３０に第２突部２９を挿入し続けると図１４に示すように第１突起２８が孔部１５の受け部５０に当たり、それ以上は挿入することができなくなる。そこで図１５、図１６に示すようにシリンダ錠１０を４５°回転させ第１突起２８が受け部５０から外してガイド溝３０に挿入可能となる。ただし、この状態において、シリンダ錠１０はシリンダ錠の取付け分９に当接するため扉２から外れないように形成しているが、扉２を閉めようとしても、係止片１４が筐体１の前面壁部２５に当接するため係合することができない。次に、図１７、図１８に示すように更に挿入させた後、シリンダ錠８を更に４５°回転させると図９（ａ）の第１の実施形態と同様に係止片１４をシリンダ錠の係止部２１に係合することが可能な位置に形成しシリンダ錠の取付け部９に取付完了となる。なお、シリンダ錠８を取付完了後に、シリンダ錠８が外れる方向に力がかかっても、シリンダ錠の取付け部９に当接して外れることはない。
【００３４】
シリンダ錠８は扉２から取り外しを行う方法としては、上記に記載した取付方法の順番から反対に行う必要がある。まず、扉２を開放した状態で、図１７、図１８のシリンダ錠８の取付完了位置から取付時と反対に４５°逆回転させて図１５に示すように第１突部２８を孔部１５から扉２の表面側に引き出す。次に、第１突部を扉２の表面側に引き出した状態で更に４５°逆回転させて図１４に示すように第１突部２８を受け部５０の表面側に形成する。図１４の状態ではシリンダ錠の係止片１４が下向きに位置されているので図１３のように引出可能となるものである。ここで、図１７、図１８のシリンダ錠８の取付完了位置から取り外しの順序を踏まず一度に９０°回転させ、シリンダ錠の係止片１４を取外取付可能となる下向きに位置させた場合には、図１９（ａ）、（ｂ）に示すように受け部５０の裏側に第１突部２８が当接するため脱落しないようになっている。
【００３５】
第２の実施形態においても扉２の前面側より取付取外自在な着脱機構を形成させるとともに、第１の実施形態よりもさらにシリンダ錠８の脱落のおそれをなくすることができる利点がある。その他の作用効果は第１の実施形態と基本的に変わるところはない。
【００３６】
南京錠を受ける南京錠の係止部２３は、図５、図７、図８、図９に示すように、受け部２４の下部側に形成されている。南京錠の係止部２３は凹部として形成され、凹部の下面には南京錠１００の腕部１１０が挿入可能な孔部２３ａ、凹部の後面には開口を有している。南京錠１００の施錠操作は、扉部２を筐体１に係止させた後、取手部となる凸状部７の下面に形成した孔部７ａから南京錠１００の腕部１１０を挿入し、南京錠の係止部２３の孔部２３ａを通過して係止させて行うことができる。
【００３７】
扉部２の引掛部１６を係止する引掛部の係止部２２は、図７、図８に示すように、受け部２４の中間部にされている。
【００３８】
図１に示すように、扉部２を閉じた状態において、受け部２４は扉部２の凸状部７により覆われ、前上下左右方向からは見えないように形成されている。
【符号の説明】
【００３９】
１  筐体
２  扉部
３  前面開口部
４  前面カバー部
５  側面部
６  蝶番
７  凸状部
７ａ  孔部
８  シリンダ錠
９  シリンダ錠の取付け部
１０  南京錠の取付け部
１１  鍵挿入部
１２  皿部
１３  タンブラ部
１４  係止片
１５  孔部
１６  引掛部
１７  空間部
１８  背面板
１９  側面板
２０  水切り部
２１  シリンダ錠の係止部
２２  引掛部の係止部
２３  南京錠の係止部
２３ａ  孔部
２４  受け部
２５  前面壁部
２６  突起部
２７  突起部係止用凹部
２８  第１突起
２９  第２突起
３０  ガイド溝
５０  受け部
１００  南京錠
１１０  腕部
【図１】
0006002943.tif 000002
【図２】
0006002943.tif 000003
【図３】
0006002943.tif 000004
【図４】
0006002943.tif 000005
【図６】
0006002943.tif 000006
【図７】
0006002943.tif 000007
【図８】
0006002943.tif 000008
【図１０】
0006002943.tif 000009
【図１１】
0006002943.tif 000010
【図１２】
0006002943.tif 000011
【図１３】
0006002943.tif 000012
【図１４】
0006002943.tif 000013
【図１５】
0006002943.tif 000014
【図１６】
0006002943.tif 000015
【図１７】
0006002943.tif 000016
【図１８】
0006002943.tif 000017
【図１９】
0006002943.tif 000018
【図５】
0006002943.tif 000019
【図９】
0006002943.tif 000020